(57)【要約】【課題】メインロープの芯線破断異常を迅速に検出することのできるエレベータ装置の提供。【解決手段】メインロープの芯線破断を検出する破断検出手段と、この破断検出手段による芯線破断検出に応じて管制運転を行う制御手段７ａとを備えたエレベータ装置において、破断検出手段を、破断した芯線と昇降路内他機器との接触により発生する火花を検出するものとした。例えば、破断検出手段は、火花光を検出する火花光検出体１０、および火花音を検出する火花音検出体１１からなる。これによって、メインロープの芯線が破断し、昇降路内他機器と接触して火花が発生した時点で、芯線破断を検出することができる。【選択図】図１
2010254467.tif 000002
【特許請求の範囲】
【請求項１】
昇降路内を昇降する昇降体と、この昇降体に接続されるとともに、巻上機により駆動されて前記昇降体を昇降させるメインロープと、メインロープの芯線破断を検出する破断検出手段と、この破断検出手段による芯線破断検出に応じて管制運転を行う制御手段とを備えたエレベータ装置において、
前記破断検出手段は、破断した芯線と昇降路内他機器との接触により発生する火花を検出するものであることを特徴としたエレベータ装置。
【請求項２】
前記破断検出手段は、火花光を検出する火花光検出体からなることを特徴とした請求項１記載のエレベータ装置。
【請求項３】
前記破断検出手段は、火花音を検出する火花音検出体からなることを特徴とした請求項１記載のエレベータ装置。
【発明の詳細な説明】
【技術分野】
【０００１】
本発明は、エレベータ装置に関わり、特に、メインロープの芯線破断に対応可能なエレベータ装置に関するものである。
【背景技術】
【０００２】
エレベータ装置のメインロープが張力により経年的に劣化して芯線の破断に至り、破断した芯線と昇降路機器との接触で火花が発生し、近傍の油部に引火する事故が発生した。
【０００３】
このような事故を防止するためのものとして、従来、機械室に設置された巻上機のシーブ部に検出棒を設け、破断した芯線と検出棒との接触に応じて芯線破断を検知するものがある（例えば、特許文献１、２参照）。
また、ガイドシューに振動センサを取付けるとともに、乗かごの下に音センサを取付け、コンペンチェーン、ガバナロープ、およびピット内機器の異常検出するものがある（例えば、特許文献３参照）。
【先行技術文献】
【特許文献】
【０００４】
【特許文献１】特開平８−３３３０６６号公報(段落番号００２８〜００３５、図１)
【特許文献２】特開平８−３０１５４３号公報(段落番号００１８〜００２７、図１)
【特許文献３】特開平９−３０７４９号公報(段落番号００１０〜００１５、図１)
【発明の概要】
【発明が解決しようとする課題】
【０００５】
しかしながら、前述した引用文献１、２に示すものは、いずれも機械室内で芯線破断異常を検知するものであり、このため、昇降路内でメインロープ内芯線が破断した場合、機械室内で当該破断が検知されるまでエレベータは継続して運転されることになり、破断した芯線と昇降路機器との接触で火花が発生して近傍の油部に引火する恐れがある。したがって、乗客の安全確保の対応が遅れるという問題があった。また、破断した芯線が検出棒に接触することで異常を検出するものであるが、メインロープ内の破断した芯線数が多い場合や、芯線の破断線長が長尺である場合、検出棒へ絡み、異常検出そのものができなくなる恐れがある。
【０００６】
さらに、前述した引用文献３に示すものは、索状体に係る異常の検出対象が、ガバナロープの伸びによる他機器への接触、および、コンペンチェーンの伸び縮みによる振動を対象としたものであり、メインロープの芯線破断を検知するものではない。
【０００７】
本発明は、前述した従来技術における実状からなされたもので、その目的は、メインロープの芯線破断を迅速に検出することのできるエレベータ装置を提供することにある。
【課題を解決するための手段】
【０００８】
前記目的を達成するために、本発明の請求項１に係る発明は、昇降路内を昇降する昇降体と、この昇降体に接続されるとともに、巻上機により駆動されて前記昇降体を昇降させるメインロープと、メインロープの芯線破断を検出する破断検出手段と、この破断検出手段による芯線破断検出に応じて管制運転を行う制御手段とを備えたエレベータ装置において、前記破断検出手段は、破断した芯線と昇降路内他機器との接触により発生する火花を検出するものであることを特徴としている。
【０００９】
このように構成した本発明の請求項１に係る発明では、芯線が破断し、昇降路内他機器と接触して火花が発生した時点で、メインロープの芯線破断を検出することができ、すなわち、従来のように破断箇所が機械室の巻上機に到達することを要することなく、芯線破断を検出することができる。これによって、芯線破断異常を迅速に検出することができる。
【００１０】
また、本発明の請求項２に係る発明は、前記破断検出手段は、火花光を検出する火花光検出体からなることを特徴としている。
【００１１】
このように構成した本発明の請求項２に係る発明では、火花光検出体により破断した芯線と昇降路内他機器との接触により発生する火花を検出することができる。
【００１２】
さらに、本発明の請求項３に係る発明は、前記破断検出手段は、火花音を検出する火花音検出体からなることを特徴としている。
【００１３】
このように構成した本発明の請求項３に係る発明では、火花音検出体により破断した芯線と昇降路内他機器との接触により発生する火花を検出することができる。
【発明の効果】
【００１４】
本発明によれば、破断した芯線と昇降路内他機器との接触により発生する火花に基づき、芯線破断を迅速に検出することができ、これによって、安全性の向上を図ることができるとともに、芯線破断異常の早期復旧が可能となる。
【図面の簡単な説明】
【００１５】
【図１】本発明に係るエレベータ装置の一実施形態を示す概略構成図である。
【図２】本実施形態におけるエレベータ装置の他の概略構成図である。
【図３】本実施形態におけるエレベータ装置の処理手順を示すフローチャートである。
【発明を実施するための形態】
【００１６】
以下、本発明に係るエレベータ装置の実施の形態を図に基づいて説明する。
【実施例１】
【００１７】
本実施例のエレベータ装置は、図１および図２に示すように、昇降路１内を昇降する昇降体、すなわち乗かご２およびつり合いおもり３と、昇降路１に立設され、乗かご２およびつり合いおもり３の昇降を案内するガイドレール４と、機械室５に設置される巻上機６と、機械室５に設けられる制御盤７と、一端が乗かご２、他端がつり合いおもり３に巻き掛けられるとともに、その中間部が巻上機６のシーブに巻き掛けられ、シーブの回転に応じて乗かご２およびつり合いおもり３を昇降させるメインロープ８と、乗かご２内に設置され、乗客への案内表示を行なう案内表示器９とを備えている。
【００１８】
また、メインロープ８の芯線破断を検出する破断検出手段、例えば昇降路１内の所定位置に設置され、火花光を検出する火花光検出体１０と、例えば乗かご２の上下部に設置され、火花音を検出する火花音検出体１１とを備えている。また、火花光検出体１０は制御盤７に接続されるとともに、火花音検出体１１も器具ボックス１２を介して制御盤７に接続される。さらに、制御盤７にはＭＰＵからなる制御手段７ａが備えられ、この制御手段７ａは、破断検出手段による芯線破断検出に応じて管制運転を行うとともに、エレベータ装置の統括制御を行うようになっている。
【００１９】
ここで、図３に基づき本実施例のエレベータ装置の処理手順を説明する。
【００２０】
巻上機６の動作により乗かご２およびつり合いおもり３が走行中に、メインロープ８の芯線が破断し、破断した芯線８ａが昇降路１内の他機器、例えばガイドレール４と接触して火花が発生すると（手順Ｓ１）、火花光検出体１０および火花音検出体１１の少なくとも一方が火花を検出し、検出信号を制御手段に送る（手順Ｓ２、手順Ｓ３）。すなわち、火花光検出体１０は、芯線８ａとガイドレール４との接触により発生した火花の火花光により、当該火花を検出する。一方、火花音検出体１１は、芯線８ａとガイドレール４との接触により発生した火花の火花音により、当該火花を検出する。これに応じて制御手段７ａは、乗かご２を最寄階、或いは特定階に停止した後、開扉して運転休止とするとともに（手順Ｓ４）、乗かご２内の案内表示器９により管制運転が行われた旨を報知し（手順Ｓ５）、かつ、外部へ芯線破断異常を通報する（手順Ｓ６）。
【００２１】
このように構成した本実施例によれば、芯線が破断し、昇降路１内の他機器と接触して火花が発生した時点で、メインロープ８の芯線破断を検出することができる。すなわち、従来のように破断箇所が機械室５の巻上機６に到達することを要することなく、芯線破断を検出することができる。これによって、芯線破断を迅速に検出することができ、したがって、エレベータ装置の安全性の向上を図ることができるとともに、芯線破断異常の早期復旧が可能となる。
【００２２】
なお、本実施例では、火花光検出体１０よび火花音検出体１１のそれぞれを設けた例を示したが、本発明はこれに限らず、火花光検出体１０および火花音検出体１１の一方を設けたものとしても良い。
【符号の説明】
【００２３】
１  昇降路
２  乗かご
３  つり合いおもり
４  ガイドレール
５  機械室
６  巻上機
７  制御盤
７ａ  制御手段
８  メインロープ
８ａ  破断した芯線
９  案内表示器
１０  火花光検出体（破断検出手段）
１１  火花音検出体（破断検出手段）
１２  器具ボックス
【図１】
2010254467.tif 000003
【図２】
2010254467.tif 000004
【図３】
2010254467.tif 000005